(57)【特許請求の範囲】
【請求項１】
周辺シール材を介して圧着された一対の透明電極基板の間に液晶物質を封入してなるパネル本体と、同パネル本体の表裏両面にそれぞれ貼着された偏光板と、上記裏面側偏光板上に貼着されたカラーフィルタとを含み、上記パネル本体には、表示セグメントからなるセグメント表示部を有するセグメント表示領域が設けられ、同セグメント表示領域においては上記セグメント表示部以外の部分に背景色を提供するブラックマスクが形成され、上記セグメント表示部以外の部分が上記ブラックマスクにより遮光され、上記カラーフィルタにより上記セグメント表示部が所定の色で表示される液晶表示パネルにおいて、
上記カラーフィルタと上記裏面側偏光板との対向面のいずれか一方の面において、上記背景色を提供するブラックマスク形成領域に対応する部分の全面が上記カラーフィルタを上記裏面側偏光板に貼着するための糊付け部とされていることを特徴とする液晶表示パネル。
【請求項２】
上記糊付け部に塗布される糊が粘着材である請求項１に記載の液晶表示パネル。
【発明の詳細な説明】
【０００１】
【発明の属する技術分野】
本発明は液晶表示パネルに関し、さらに詳しく言えば、裏面側にカラーフィルタが貼着されている液晶表示パネルに関するものである。
【０００２】
【従来の技術】
液晶表示パネルの表示形態には、例えばドット（画素）の点滅により種々の表示が可能なドットマトリクス表示と、例えばディジタル表示時計の日の字、電話機のアイコンや自動車の計器板（目盛板）などのように表示形態が定型とされたセグメント表示とがある。また、ドットマトリクス表示とセグメント表示とが混在しているものもある。
【０００３】
一般に、カラー表示とするにはカラーフィルタが用いられる。ドットマトリクス表示の場合には、液晶パネル内に液晶の光スイッチに対してＲ（赤），Ｇ（緑），Ｂ（青）の各画素が１：１で対応するように配置されるが、セグメント表示の場合には、より簡便な手法が採られる。
【０００４】
すなわち、セグメント表示の場合には、セグメント表示領域の裏面側にシート状に形成されたカラーフィルタを糊付けするようにしており、これについて図４により説明する。同図は、自動車計器板用の液晶表示パネル１を表面側から見た図で、その表示領域１ａには例えば速度表示用のセグメント表示部（日の字セグメント）２ａおよび残存燃料量をバーグラフ状に表示するためのセグメント表示部２ｂや水温計用のセグメント表示部２ｃなどが設けられている。
【０００５】
この液晶表示パネル１の裏面側の偏光板上にカラーフィルタが貼着される。図５によると、そのカラーフィルタには各セグメント表示部２ａ，２ｂ，２ｃ…に対応する図柄２Ａ，２Ｂ，２Ｃ…が形成されており、その図柄部分を含む領域に所定の色が着色されている。
【０００６】
【発明が解決しようとする課題】
カラーフィルタは、位置合わせマークを基準として、その図柄２Ａ，２Ｂ，２Ｃ…が各セグメント表示部２ａ，２ｂ，２ｃ…と正確に重なるように液晶表示パネル１の裏面側偏光板上に糊付けされる。その際、糊材には透明なものが用いられるが、糊材が表示領域１ａ内に入り込むと、その部分の表示がぼやけたりなどして不鮮明になるおそれがある。
【０００７】
そこで従来では、図５の斜線図示のように、カラーフィルタの周縁部、すなわち液晶表示パネル１の表示領域１ａ周辺の非表示領域に対応する部分に糊を額縁状に塗布することにより、その糊付け面が表示領域１ａに表れないようにしているが、これでは糊付け面が十分とは言えず、したがって熱などによりカラーフィルタに剥がれが生ずることがあった。特に、大画面になるに連れて剥がれが生じやすい。
【０００８】
【課題を解決するための手段】
本発明は、このような課題を解決するためになされたもので、その目的は、表示に悪影響を与えない範囲にまで糊付け面を増やして、カラーフィルタに剥がれが生じないようにした液晶表示パネルを提供することにある。
【０００９】
本発明によれば、この目的は、周辺シール材を介して圧着された一対の透明電極基板の間に液晶物質を封入してなるパネル本体と、同パネル本体の表裏両面にそれぞれ貼着された偏光板と、上記裏面側偏光板上に貼着されたカラーフィルタとを含み、上記パネル本体には、表示セグメントからなるセグメント表示部を有するセグメント表示領域が設けられ、同セグメント表示領域においては上記セグメント表示部以外の部分に背景色を提供するブラックマスクが形成され、上記セグメント表示部以外の部分が上記ブラックマスクにより遮光され、上記カラーフィルタにより上記セグメント表示部が所定の色で表示される液晶表示パネルにおいて、上記カラーフィルタと上記裏面側偏光板との対向面のいずれか一方の面において、上記背景色を提供するブラックマスク形成領域に対応する部分の全面が上記カラーフィルタを上記裏面側偏光板に貼着するための糊付け部とすることにより達成される。
【００１０】
本発明において、セグメント表示部以外はブラックマスクにより遮光されるため、遮光された部分を糊付け面としても、特に表示に支障は生じない。よって、本発明によれば、カラーフィルタの糊付け面をより広くすることができ、熱などによる剥離を効果的に防止することができる。なお、糊材には常温によっては硬化せず、粘着力を長期にわたって発現する粘着材が好ましく採用される。
【００１１】
【発明の実施の形態】
次に、本発明の実施例を図１ないし図３により説明する。なお、図１はこの実施例に係る液晶表示パネル１０の断面図であり、図２は同液晶表示パネル１０に貼着されるカラーフィルタ１５を表面側から見た図で、図３は液晶表示パネル１０のセグメント表示領域１０ａをその表面側から見た図である。
【００１２】
この液晶表示パネル１０は、ガラスもしくはプラスチックを基材とする一対の透明電極基板１１，１２を備えている。透明電極基板１１，１２は図示しない周辺シール材を介して貼り合わせられ、その基板間には所定の液晶物質が封入されている。
【００１３】
この実施例においては、図３に示されているように、液晶表示パネル１０の表示部１０ａはその全体がセグメント表示領域とされており、先に説明した図４の従来例と同じく、例えば速度表示用の日の字セグメントからなるセグメント表示部２ａおよび残存燃料量をバーグラフ状に表示するためのセグメント表示部２ｂや水温計用のセグメント表示部２ｃなどが設けられており、これらのセグメント表示部以外の部分（図３の斜線部）はブラックマスクＢＭにより遮光されている。
【００１４】
ブラックマスクＢＭは、少なくとも一方のパネルの内面（電極形成面）側において、表示用の透明電極の部分を避けて形成され、このブラックマスクＢＭによりセグメント表示部に対して所定色の背景が提供される。
【００１５】
液晶表示パネル１０の表面側（図１において左面側）および裏面側にはそれぞれ偏光板１３，１４が貼着されている。そして、裏面側偏光板１４上にはカラーフィルタ１５がさらに貼着されている。このカラーフィルタ１５は液晶表示パネル１０の各セグメント表示部２ａ，２ｂ，２ｃ…に対応するように所定色の図柄２Ａ，２Ｂ，２Ｃ…が形成されている。
【００１６】
カラーフィルタ１５を裏面側偏光板１４に貼着（糊付け）するにあたって、本発明においては、ブラックマスクＢＭに対応する部分が糊付け面（図２の斜線部）とされる。この糊付けは、カラーフィルタ１５側に例えばシルクスクリーン印刷などにより行なわれるが、場合によっては、裏面側偏光板１４上に糊付けを行なってもよい。
【００１７】
いずれにしても、ブラックマスクＢＭの形成領域は広いため、裏面側偏光板１４に対するカラーフィルタ１５の糊付け面が増やされ、これにより上記従来例に比べてカラーフィルタ１５を確実に貼り付けることができる。
【００１８】
なお、糊付け面の最大面積はブラックマスクＢＭの形成領域全面ということになるが、本発明では、熱などによるカラーフィルタの剥がれを確実に防止するため、糊付け面をその最大面積であるブラックマスクの形成領域全面としている。
【００１９】
また、糊材には接着材、粘着材のいずれも使用可能であるが、偏光板１４とカラーフィルタ１５の熱膨張差などを考慮すると、常温によっては硬化せず、粘着力を長期にわたって発現する粘着材の方が好ましい。
【００２０】
上記実施例では、表示領域１０ａ全体がセグメント表示領域とされているが、ドットマトリクス表示とセグメント表示とが混在している場合には、そのセグメント表示領域の裏面側にカラーフィルタ１５が貼着されることになる。
【００２１】
【発明の効果】
以上説明したように、本発明によれば、液晶表示パネルにカラーフィルタを貼着するにあたって、その糊付け面をブラックマスク形成面の下側にまで広げるようにしたことにより、熱などによるカラーフィルタの剥がれを確実に防止することができる。
【図面の簡単な説明】
【図１】本発明によるカラーフィルタ付き液晶表示パネルの実施例を示した断面図。
【図２】上記実施例のカラーフィルタをパネル表面側から見た正面図。
【図３】上記実施例に係る液晶表示パネルの表示部をその表面側から見た正面図。
【図４】従来例として挙げた液晶表示パネルの表示部をその表面側から見た正面図。
【図５】上記従来例に用いられているカラーフィルタをパネル表面側から見た正面図。
【符号の説明】
２ａ〜２ｃ  セグメント表示部
１０ａ  セグメント表示領域
１１，１２  透明電極基板
１３，１４  偏光板
１５  カラーフィルタ
ＢＭ  ブラックマスク
【図１】
0004004187.tif 000002
【図２】
0004004187.tif 000003
【図３】
0004004187.tif 000004
【図４】
0004004187.tif 000005
【図５】
0004004187.tif 000006